【手続補正書】
【提出日】平成16年4月1日(2004.4.1)
【手続補正１】
【補正対象書類名】明細書
【補正対象項目名】発明の名称
【補正方法】変更
【補正の内容】
【発明の名称】ビデオテープレコーダ及び記録方法
【手続補正２】
【補正対象書類名】明細書
【補正対象項目名】特許請求の範囲
【補正方法】変更
【補正の内容】
【特許請求の範囲】
【請求項１】
磁気テープに順次斜めに記録トラックを形成し、ビデオデータ、オーディオデータ、前記ビデオデータ及びオーディオデータに関連する補助データを前記磁気テープに記録するビデオテープレコーダにおいて、
前記ビデオデータ及びオーディオデータをデータ圧縮して圧縮ビデオデータ及び圧縮オーディオデータを生成するデータ圧縮手段と、
前記圧縮ビデオデータを所定のピクチャー数単位でブロック化し、該ブロックの前記圧縮ビデオデータと、対応する前記圧縮オーディオデータと、対応する前記補助データとの組み合わせによるパックユニットを生成するパックユニット生成手段と、
前記パックユニットによるデータをメインセクタに割り当て、前記パックユニットの前記補助データをサブコードセクタに割り当て、前記メインセクタ及びサブコードセクタによる前記記録トラックを順次形成する記録系とを備え、
前記メインセクタの補助データは、
少なくともデコード時における前記ビデオデータの時刻管理情報に対応する再生基準の管理情報を前記ビデオデータのピクチャーの順序により配置し、
前記サブコードセクタの補助データは、
少なくとも前記再生基準の管理情報、ピクチャータイプの情報を前記圧縮ビデオデータのピクチャーの順序により配置する
ことを特徴とするビデオテープレコーダ。
【請求項２】
前記メインセクタの補助データは、
前記再生基準の管理情報に加えて、前記ビデオデータ及び又は前記オーディオデータの時間情報を、前記ビデオデータのピクチャーの順序により配置し、
前記サブコードセクタの補助データは、
前記ビデオデータ及び又は前記オーディオデータの時間情報を、前記メインセクタの補助データに対応する順序により配置した
ことを特徴とする請求項１に記載のビデオテープレコーダ。
【請求項３】
磁気テープに順次斜めに記録トラックを形成し、データ圧縮したビデオデータを前記磁気テープに記録するビデオテープレコーダにおいて、
前記ビデオデータにおけるフレーム内符号化処理によるピクチャーのデータより、サーチ用データを生成するサーチ用データ生成手段と、
前記サーチ用データに関連するサーチ用の補助データを生成する補助データ生成手段と、
前記サーチ用データを前記補助データと組み合わせて、前記ビデオデータと共に前記磁気テープに記録する記録系とを備え、
前記補助データのうち、
前記磁気テープに記録された前記ビデオデータの検索用データについては、デコード時における前記ビデオデータの時刻管理情報を基準にして記録し、
前記サーチ用データによる画像と共に表示する表示用データについては、前記ビデオデータの再生出力の時刻管理情報を基準にして記録する
ことを特徴とするビデオテープレコーダ。
【請求項４】
前記検索用データが、
対応する前記ビデオデータの記録位置を示すテープ位置情報である
ことを特徴とする請求項３に記載のビデオテープレコーダ。
【請求項５】
前記検索用データが、
対応する前記ビデオデータの再生基準の管理情報である
ことを特徴とする請求項３に記載のビデオテープレコーダ。
【請求項６】
前記表示用データが、
対応する前記ビデオデータの時間情報である
ことを特徴とする請求項３に記載のビデオテープレコーダ。
【請求項７】
磁気テープに順次斜めに記録トラックを形成し、ビデオデータ、オーディオデータ、前記ビデオデータ及びオーディオデータに関連する補助データを前記磁気テープに記録する記録方法において、
前記ビデオデータ及びオーディオデータをデータ圧縮して圧縮ビデオデータ及び圧縮オーディオデータを生成するデータ圧縮ステップと、
前記圧縮ビデオデータを所定のピクチャー数単位でブロック化し、該ブロックの前記圧縮ビデオデータと、対応する前記圧縮オーディオデータと、対応する前記補助データとの組み合わせによるパックユニットを生成するパックユニット生成ステップと、
前記パックユニットによるデータをメインセクタに割り当て、前記パックユニットの前記補助データをサブコードセクタに割り当て、前記メインセクタ及びサブコードセクタによる前記記録トラックを順次形成する記録ステップを備え、
前記メインセクタの補助データは、
少なくともデコード時における前記ビデオデータの時刻管理情報に対応する再生基準の管理情報を前記ビデオデータのピクチャーの順序により配置し、
前記サブコードセクタの補助データは、
少なくとも前記再生基準の管理情報、ピクチャータイプの情報を前記圧縮ビデオデータのピクチャーの順序により配置する
ことを特徴とする記録方法。
【請求項８】
前記メインセクタの補助データは、
前記再生基準の管理情報に加えて、前記ビデオデータ及び又は前記オーディオデータの時間情報を、前記ビデオデータのピクチャーの順序により配置し、
前記サブコードセクタの補助データは、
前記ビデオデータ及び又は前記オーディオデータの時間情報を、前記メインセクタの補助データに対応する順序により配置した
ことを特徴とする請求項７に記載の記録方法。
【請求項９】
磁気テープに順次斜めに記録トラックを形成し、データ圧縮したビデオデータを前記磁気テープに記録する記録方法において、
前記ビデオデータにおけるフレーム内符号化処理によるピクチャーのデータより、サーチ用データを生成するサーチ用データ生成ステップと、
前記サーチ用データに関連するサーチ用の補助データを生成する補助データ生成ステップと、
前記サーチ用データを前記補助データと組み合わせて、前記ビデオデータと共に前記磁気テープに記録するステップとを備え、
前記補助データのうち、前記磁気テープに記録された前記ビデオデータの検索用データについては、デコード時における前記ビデオデータの時刻管理情報を基準にして記録し、
前記サーチ用データによる画像と共に表示する表示用データについては、前記ビデオデータの再生出力の時刻管理情報を基準にして記録する
ことを特徴とする記録方法。
【手続補正３】
【補正対象書類名】明細書
【補正対象項目名】０００１
【補正方法】変更
【補正の内容】
【０００１】
【発明の属する技術分野】
本発明は、ビデオテープレコーダ及び記録方法に関し、特にＨＤＴＶ（High Definition TeleVision）によるビデオ信号を磁気テープに記録するビデオテープレコーダに適用することができる。本発明は、少なくとも再生基準の管理情報を、メインセクタでは再生出力するビデオデータのピクチャー順に、サブコードセクタでは、データ圧縮したビデオデータのピクチャーの順序で記録することにより、全体を効率良く構成することができるようにする。また検索用データについては、デコード時におけるビデオデータの時刻管理情報を基準にして、表示用データについては、ビデオデータの再生出力の時刻管理情報を基準にして記録することにより、全体を効率良く構成することができるようにする。


【手続補正４】
【補正対象書類名】明細書
【補正対象項目名】０００５
【補正方法】変更
【補正の内容】
【０００５】
本発明は以上の点を考慮してなされたもので、全体を効率良く構成することができるビデオテープレコーダ及び記録方法を提案しようとするものである。


【手続補正５】
【補正対象書類名】明細書
【補正対象項目名】０００７
【補正方法】変更
【補正の内容】
【０００７】
また請求項３の発明においては、ビデオテープレコーダに適用して、磁気テープに記録されたビデオデータの検索用データについては、デコード時におけるビデオデータの時刻管理情報を基準にして記録し、サーチ用データによる画像と共に表示する表示用データについては、ビデオデータの再生出力の時刻管理情報を基準にして記録する。また請求項７の発明においては、記録方法に適用して、圧縮ビデオデータを所定のピクチャー数単位でブロック化し、該ブロックの圧縮ビデオデータと、対応する圧縮オーディオデータと、対応する補助データとの組み合わせによるパックユニットを生成するパックユニット生成ステップと、パックユニットによるデータをメインセクタに割り当て、パックユニットの補助データをサブコードセクタに割り当て、メインセクタ及びサブコードセクタによる記録トラックを順次形成する記録ステップとを備え、メインセクタの補助データは、少なくともデコード時におけるビデオデータの時刻管理情報に対応する再生基準の管理情報をビデオデータのピクチャーの順序により配置し、サブコードセクタの補助データは、少なくとも再生基準の管理情報、ピクチャータイプの情報を圧縮ビデオデータのピクチャーの順序により配置する。また請求項９の発明においては、記録方法に適用して、磁気テープに記録されたビデオデータの検索用データについては、デコード時におけるビデオデータの時刻管理情報を基準にして記録し、サーチ用データによる画像と共に表示する表示用データについては、ビデオデータの再生出力の時刻管理情報を基準にして記録する。
【手続補正６】
【補正対象書類名】明細書
【補正対象項目名】０００９
【補正方法】変更
【補正の内容】
【０００９】
また請求項３の構成によれば、ビデオテープレコーダに適用して、磁気テープに記録されたビデオデータの検索用データについては、デコード時におけるビデオデータの時刻管理情報を基準にして記録し、サーチ用データによる画像と共に表示する表示用データについては、ビデオデータの再生出力の時刻管理情報を基準にして記録することにより、再生時においては、順次再生される表示用データを順次表示するだけで、時系列により所望するシーンを簡易に選択することができ、またこのようにしてシーンを検出して対応する検索用データにより簡易に頭出しすることができ、これにより再生側の構成を簡略化することができ、これにより全体を効率良く構成することができる。これらにより請求項７、請求項９の構成によれば、全体を効率良く構成することができる記録方法を提供することができる。
【手続補正７】
【補正対象書類名】明細書
【補正対象項目名】００１８
【補正方法】変更
【補正の内容】
【００１８】
図４は、メインセクタの基本構造を示す図表である。なお図４は、２４−２５変調前のデータ量によるものである。ここでメインセクタは、それぞれ８８８ビット（１１１バイト）による１４１個のシンクブロックにより構成され、各シンクブロックには、先頭に、１６ビットのシンク、２４ビットのＩＤが割り当てられ、末尾の８０ビットに、積符号形式による誤り訂正符号の内符号であるＣ１符号が割り当てられるようになされている。またメインセクタは、１４１個のシンクブロックのうち１２３のシンクブロックにおいては、残る７６８ビットに、８ビットのヘッダ（シンクブロックヘッダ）と７６０ビットのメインデータとが割り当てられるのに対し、残る１８個のシンクブロックには、積符号形式による誤り訂正符号の外符号であるＣ２符号が割り当てられるようになされている。


【手続補正８】
【補正対象書類名】明細書
【補正対象項目名】００３１
【補正方法】変更
【補正の内容】
【００３１】
図８は、このようにして形成されるメインセクタのデータ構造における平均的な論理データ配分を示す図である。ここでＣ２符号は、連続エラー訂正能力を２トラック以上（＝１２．５％（＝２トラック／１６トラックＥＣＣ (Error Correcting Code)インターリーブ））となるように、１８個のシンクブロックに割り当てられ、これにより１２．７〔％〕に設定される。補助データ（ＡＵＸ）＋ＮＵＬＬデータは、９５バイト×２．２ＳＢ×３００トラック×８ビット＝５０１〔Ｋｂｐｓ〕、ビデオデータは、９５バイト×１１０ＳＢ×３００トラック×８ビット＝２５．０２１〔Ｍｂｐｓ〕、オーディオデータは、９５バイト×１．８ＳＢ×３００トラック×８ビット＝４２１〔Ｋｂｐｓ〕、サーチデータは、９５バイト×９．１ＳＢ×３００トラック×８ビット＝２．０７〔Ｍｂｐｓ〕であり、総計２８．０４４〔Ｍｂｐｓ〕（９５バイト×１２３ＳＢ×３００トラック×８ビット）に設定される。なお以下において、シンクブロックは、適宜、ＳＢにより示す。


【手続補正９】
【補正対象書類名】明細書
【補正対象項目名】００３６
【補正方法】変更
【補正の内容】
【００３６】
ここで図１０及び図１１は、それぞれ固定長による補助データのパケット構造と可変長による補助データのパケット構造とを示す図表である。固定長によるパケット構造は、メインセクタにも適用されるものの、主にサブコードセクタに適用される。固定長によるパケット構造においては、全体が５バイトにより形成され、先頭１バイトのｂ７及びｂ６ビットが値０に設定され、ｂ５〜ｂ０ビットに、各補助データの内容を示すキーワード番号（keyword Number）が割り当てられ、残り４バイトが補助データに割り当てられる。


【手続補正１０】
【補正対象書類名】明細書
【補正対象項目名】００４３
【補正方法】変更
【補正の内容】
【００４３】
これに対して図１３は、可変長によるパケット構造におけるキーワード番号を示す図表である。可変長によるパケット構造には、値６４〜値１２７が割り当てられる。これらのキーワード番号のうち、値６４〜値６７は、オーディオデータの補助データに割り当てられ、値６４において、続く可変長のデータにオーディオデータの補助データが割り当てられていることを示すようになされている。なお残り値６５〜値６７は、リザーブに割り当てられる。


【手続補正１１】
【補正対象書類名】明細書
【補正対象項目名】００４７
【補正方法】変更
【補正の内容】
【００４７】
また続く１０バイトにオリジナルの記録日時、時間の情報が、続く８バイトに磁気テープへの記録日時、時間の情報が割り当てられ、続く１バイトにコピー世代を示す情報が割り当てられる。また続く２バイトに編集点に係るステータスの情報（編集情報）が各１バイトづつ割り当てられ、続く６バイトにオーディオのモードが割り当てられる。ここでオーディオのモードは、フレームサイズ、サンプリング周波数等である。また続く４バイトはリザーブに割り当てられ、続く１１バイトにパックユニットに係る情報が割り当てられるようになされている。ここでこのパックユニットに係る情報においては、デコード基準の情報であり、フレーム番号、フレーム数、ＰＴＳ（Presentation Time Stamp ）である。なおここでＰＴＳは、デコードによりデータ伸長したビデオデータ、オーディオデータの再生出力の時刻管理情報である。


【手続補正１２】
【補正対象書類名】明細書
【補正対象項目名】００５１
【補正方法】変更
【補正の内容】
【００５１】
これに対して続く１６バイトは、ビデオモードの情報が割り当てられ、続く１バイト及び１５バイトにはフレーム単位の付加情報（Extended DV Pack）が割り当てられるようになされている。


【手続補正１３】
【補正対象書類名】明細書
【補正対象項目名】００６２
【補正方法】変更
【補正の内容】
【００６２】
最後の１バイトには、図２７に示す各種のフラグが設定される。ここでこれらのフラグは、サーチポイントを示すＩフラグ、静止画の記録開始位置がメインデータの場合に設定されるＰフラグ、メインデータにＩピクチャ又はＰピクチャが割り当てられていることを示すＰＦフラグ、編集に係るＥＦフラグ等が割り当てられるようになされている。


【手続補正１４】
【補正対象書類名】明細書
【補正対象項目名】００８２
【補正方法】変更
【補正の内容】
【００８２】
この実施の形態ではこのようにして磁気テープに記録してなるサブコードセクタの各補助データを基準にしてビデオデータ及びオーディオデータが再生されて復号される（図３３（Ｄ））。またサーチ用データにおいては（図３３（Ｅ））、対応するビデオデータのＩピクチャーより生成されて、上述したように、対応するＩピクチャー、対応する時刻管理情報ＤＴＳ以降のＥＣＣバンクから記録される。


【手続補正１５】
【補正対象書類名】明細書
【補正対象項目名】００８６
【補正方法】変更
【補正の内容】
【００８６】
ここでこのような開始位置の変化分Ｔ１に変化を与える要素のうち、サーチ用データの粗密による変化量は、上述したように、８倍速用及び２４倍速用の双方で、最大１．６トラックとなり、また対応するオーディオデータのデータ量は最大で０．７トラックとなる。また補助データにおいては、３トラック／３フレームであり、ＮＵＬＬデータにおいては、パックユニットの記録開始位置をトラック単位で繰り下げた場合に、最大で１．０トラックとなる。これらを合計すると６．３トラックとなる。


【手続補正１６】
【補正対象書類名】明細書
【補正対象項目名】０１２４
【補正方法】変更
【補正の内容】
【０１２４】
ビデオテープレコーダ１においては、このようにして磁気テープ２に記録するビデオデータが１５ピクチャーによるＧＯＰによりデータ圧縮され、さらにこの１５ピクチャーによる１つのＧＯＰを構成するビデオデータが３ピクチャー単位で区切られてビデオデータによるパックデータ（図３４に示すＰＡＣＫ−Ｖ）が生成される。ビデオテープレコーダ１では、このビデオデータによるパックデータと、対応するオーディオデータ、補助データとによりパックユニットが形成され、このパックユニットを単位にしてビデオデータ、オーディオデータ、補助データが磁気テープ２に記録される（図３１）。また各パックユニットにおいては、オーディオデータに関する補助データ、オーディオデータ、ビデオデータに関する補助データが先頭側に順次まとめられて順次磁気テープ２に記録される。これによりビデオテープレコーダ１では、パックユニット単位で磁気テープ２に記録されたビデオデータ等を処理することができるようになされている。


【手続補正１７】
【補正対象書類名】明細書
【補正対象項目名】０１２５
【補正方法】変更
【補正の内容】
【０１２５】
ビデオテープレコーダ１においては、このようなパックユニットによる記録とは別に、各インターリーブ単位の先頭トラックの先頭シンクブロックには、補助データのＥＣＣＴＢパケットが割り当てられ、さらには一定位置に８倍速、２４倍速のサーチ用データが記録され、これによりサーチ等の処理の向上が図られるようになされている。